(57)【要約】【課題】空気調和機の筐体を壁に固定する固定具を天板に取り付けるためのビス穴を最小限に抑えた空気調和機を提供する。【解決手段】略箱状の筐体３に固定される天板４と、前記筐体３を壁（図示せず）に固定するための固定具５と、固定具５を天板４に固定するための取り付けビス６を備え、固定具５に取り付けビス６を貫通させるための複数の平行な長穴状のビス穴５ｃを設け、天板４に固定具５をネジ止めするためのビス穴７を設け、ビス穴５ｃのピッチとビス穴７の前後方向および左右方向のピッチを同一にして、天板４の背面側、左側面側、右側面側に固定具５を取り付けるためのビス穴７を共用することにより、ビス穴７の数を減らすことができる。【選択図】図１ 
2005156048.tif 000002
【特許請求の範囲】
【請求項１】
略箱状の筐体と、前記筐体に固定される天板と、前記筐体を壁に固定するための固定具と、前記固定具を前記天板に固定するための取り付けビスを備え、前記固定具に前記取り付けビスを貫通させるための複数の平行な長穴状のビス穴を設け、前記天板に前記固定具をネジ止めするためのビス穴を設け、前記長穴状のビス穴のピッチと前記天板に設けたビス穴の前後方向および左右方向のピッチを同一にしたことを特徴とする空気調和機。
【請求項２】
固定具を固定する取り付けビスと、天板を筐体に固定する取り付けビスとを共用することを特徴とする請求項１記載の空気調和機。
【請求項３】
固定具に長穴状のビス穴を少なくとも３列配し、第１列目のビス穴と第２列目のビス穴のピッチＰ１を請求項１に記載のピッチと同一にし、前記第１列目のビス穴と第３列目のビス穴とのピッチを前記ピッチＰ１の略１．４倍に設定したことを特徴とする請求項１又は２記載の空気調和機。
【請求項４】
固定具を、天板に固定される天板固定部と、前記天板固定部に水平方向に回動自在に取着されるとともに壁に固定される壁固定部とで形成したことを特徴とする請求項１〜３のいずれか１項記載の空気調和機。
【請求項５】
固定具を固定するビス穴を天板のコーナー部に配したことを特徴とする請求項１〜４のいずれか１項記載の空気調和機。
【発明の詳細な説明】
【技術分野】
【０００１】
本発明は、空気調和機に関するものであり、より詳しくは空気調和機の壁面などへの固定構造に関するものである。
【背景技術】
【０００２】
図９は従来の床置き形の空気調和機の室内機の壁面への固定方法について示したものである。室内機１は、同図に示すように、縦長箱形の筐体３を有し、その筐体３は、送風手段１ａや熱交換器２を内蔵している。そして筐体３の上面に固定した天板４には、その側方側の辺及び背面側の辺の周囲に等間隔に固定ビス８のビス穴８ａが設けられている。
【０００３】
５は、室内機１を壁面に固定するための固定具で、一方にビス穴５ａが他方にビス穴５ｂが設けられている。
【０００４】
そして、固定具５のビス穴５ａに固定ビス８を貫通させて、天板４の背面側又は側面側のビス穴８ａにネジ止めし、固定具５のビス穴５ｂに木ネジ（図示せず）を通して対向する壁面に固定して、室内機１の転倒を防止するようにしている。
【０００５】
ここで、天板４の側方側の縁、背面側の縁に設けた各ビス穴８ａのピッチＰを同じにして、同一の固定具５で側面に対向する壁面にも、背面に対向する壁面にも空気調和機の室内機１を固定することができるようにしていた（例えば、特許文献１参照）。
【特許文献１】特開２００２−１６８５１２号公報
【発明の開示】
【発明が解決しようとする課題】
【０００６】
しかしながら、上記従来の構成では、天板４にビス穴８ａを背面側、側面側の周囲に連続して設ける必要があり、固定具５を設けない位置にもかかわらずビス穴８ａを多数設けなければならないという課題を有していた。
【０００７】
本発明は、このような従来の課題を解決するもので、側面固定用のビス穴と背面固定用のビス穴を共用して、最小限のビス穴で近接する壁に対して確実に固定することができる空気調和機を提供することを目的とする。
【課題を解決するための手段】
【０００８】
前記従来の課題を解決するために、本発明の空気調和機は、略箱状の筐体と、前記筐体に固定される天板と、前記筐体を壁に固定するための固定具と、前記固定具を前記天板に固定するための取り付けビスを備え、前記固定具に前記取り付けビスを貫通させるための複数の平行な長穴状のビス穴を設け、前記天板に前記固定具をネジ止めするためのビス穴を設け、前記長穴状のビス穴のピッチと前記天板に設けたビス穴の前後方向および左右方向のピッチを同一にしたもので、前記天板の背面側と左側面側、背面側と右側面側の固定具を取り付けるためのビス穴をそれぞれ共用できるため天板に設ける固定具取付用のビス穴が少なくできるという効果を奏する。
【発明の効果】
【０００９】
本発明の空気調和機は、近接する壁に固定される固定具を天板に固定するための、側面固定用のビス穴と背面固定用のビス穴が共用でき、最小限のビス穴で側面の壁、背面の壁に空気調和機を確実に固定することができる。
【発明を実施するための最良の形態】
【００１０】
第１の発明は、略箱状の筐体と、前記筐体に固定される天板と、前記筐体を壁に固定するための固定具と、前記固定具を前記天板に固定するための取り付けビスを備え、前記固定具に前記取り付けビスを貫通させるための複数の平行な長穴状のビス穴を設け、前記天板に前記固定具をネジ止めするためのビス穴を設け、前記長穴状のビス穴のピッチと前記天板に設けたビス穴の前後方向および左右方向のピッチを同一にしたもので、前記天板の背面側と左側面側、背面側と右側面側の固定具を取り付けるためのビス穴をそれぞれ共用できるため天板に設ける固定具取付用のビス穴が少なくできるという効果を奏する。
【００１１】
第２の発明は、特に、第１の発明の固定具を固定する取り付けビスと、天板を筐体に固定する取り付けビスとを共用するもので、取り付けビスの本数を減らすことができ、コストダウンができる。
【００１２】
第３の発明は、特に、第１又は第２の発明の固定具に長穴状のビス穴を少なくとも３列配し、第１列目のビス穴と第２列目のビス穴のピッチＰ１を請求項１に記載のピッチと同一にし、前記第１列目のビス穴と第３列目のビス穴とのピッチを前記ピッチＰ１の略１．４倍に設定したもので、３列の長穴状のビス穴を利用することで、空気調和機を部屋の隅部などの壁面に対して傾斜して（例えば４５度に）設置する場合でも壁面に確実に取付固定ができる。
【００１３】
第４の発明は、特に、第１〜３のいずれか１つの発明の固定具を、天板に固定される天板固定部と、前記天板固定部に水平方向に回動自在に取着されるとともに壁に固定される壁固定部とで形成したもので、あらゆる角度の固定壁に対応して、空気調和機の設置、固定が可能になるものである。
【００１４】
第５の発明は、特に、第１〜４のいずれか１つの発明の固定具を固定するビス穴を天板のコーナー部に配したもので、後壁にも側壁にも固定できる共用の固定具を最も短く形成できるので、安価に製造できると共に、取り扱い、設置工事も容易である。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室内機の斜視図である。図２は同空気調和機の天板に設けたビス穴の配置を示す図、図３は同空気調和機での固定具の使用例を示す図である。なお、従来例と同一部分については、同一符号を付してその説明を省略する。
【００１７】
図において、室内機１は、送風手段１ａと熱交換器２とを内蔵すると共に天面に天板４が固定された筐体３から構成されている。５は、室内機１の転倒防止のために筐体３を壁等に固定するための固定具で、取り付けビス６の貫通用に長穴状のビス穴５ｃを備えている。
【００１８】
図２は、天板４に配置された固定具５取り付け用のビス穴７の配置を示すもので、ビス穴７は天板４のコーナー部４ａに設けられると共に、各ビス穴７間の上下方向のピッチＡと左右方向のピッチＢを同じになるように設定している。
【００１９】
次に、図３を用いて、室内機１の壁面への固定方法について説明する。
【００２０】
図において、室内機１の背面側を部屋の後壁に固定する場合は、所定の場所に室内機１
を置き、実線で示されるように固定具５を取り付けビス６でビス穴５ｃを貫通した後、天板４に設けたビス穴７に仮止めする。次に固定具５を後壁に壁取り付けネジ１５で固定し、取り付けビス６を本締めして固定が完了する。
【００２１】
また、室内機１を、部屋の側壁に固定する場合は、所定の場所に室内機１を置き、破線で示されるように固定具５を横向きにし、取り付けビス６で固定具５をビス穴７に仮止めする。次に固定具５を側壁に壁取り付けネジ１５で固定し、取り付けビス６を本締めして固定が完了する。
【００２２】
以上のように、本実施の形態によれば、ビス穴７を天板４のコーナー部４ａに設けるだけなので、ビス穴７の数が減らすことができ、製造工程を減らすことができる。また、各ビス穴７間の上下方向のピッチＡと左右方向のピッチＢを同じに設定しているので、室内機１を部屋の後壁、側壁のいずれの壁に固定する場合も、共通の固定具５ですむので、取り付け作業が簡単で、部品の管理も容易になる。
【００２３】
（実施の形態２）
図４は、本発明の第２の実施の形態における空気調和機の室内機の上面図である。なお、上記実施の形態と同一部分については、同一符号を付してその説明を省略する。
【００２４】
同図において１６は、天板４を筐体３に固定するための天板取り付けビスで、取り付けビス６と同一形状で、さらに天板４のコーナー部４ａにおける天板取り付けビス１６の閉め付け位置は、第１の実施の形態における固定具５の取り付け用のビス穴７と同じにしてある。
【００２５】
以上のように、本実施の形態によれば、天板４を筐体３に固定する天板取り付けビス１６と固定具５を固定する取り付けビス６を共用し、天板取り付けビス１６用のビス穴（図示せず）と固定具５用のビス穴７が共用できるので、取り付けビス、ならびにビス穴の種類、数を最小限に抑える事ができ、天板４、固定具５の取り付け作業が簡単で、部品の管理も容易になる。
【００２６】
（実施の形態３）
図５は、本発明の第３の実施の形態における空気調和機の室内機を固定するための固定具の上面図で、図６は、同固定具の使用例を示すものである。なお、上記実施の形態と同一部分については、同一符号を付してその説明を省略する。
【００２７】
本実施の形態は、固定具５に設ける取り付けビス６貫通用のビス穴として、第１列目の第１のビス穴５ｄと、第２列目で前記第１のビス穴５ｄとの間のピッチがＰ１の第２のビス穴５ｅと、第３列目で、前記第１のビス穴５ｄとの間のピッチＰ２がＰ１ｘ略１．４倍に設定した第３のビス穴５ｆを設け、いずれも長穴状に形成したものである。
【００２８】
以上のように構成したことにより、図６に示すように、天板４に設けるビス穴７を上記第１の実施の形態で記載した位置に配置した状態で、固定具５を側面、背面のみならず約４５度の壁まで対応できるようになるものである。また、この固定具５の第１〜３のビス穴５ｄ〜５ｆの幅寸法を取り付けビス６のねじ径より大きくすることで、固定具５の取り付けの自由度が増し更に多様な角度にある壁にも対応できることは明白である。
【００２９】
（実施の形態４）
図７は、本発明の第４の実施の形態における空気調和機の室内機を固定するための固定具の平面図で、図８は、同固定具の使用例を示すものである。なお、上記実施の形態と同一部分については、同一符号を付してその説明を省略する。
【００３０】
図に示すように、本実施の形態では、固定具１１を、天板４に固定される天板固定部９と、この天板固定部９に水平方向に回動自在に取り付けられるとともに壁に固定される壁固定部１０とで形成したものである。
【００３１】
この実施の形態によれば、固定具１１の天板固定部９を天板４に固定したままで、壁固定部１０を壁の傾きに合わせて回動させた後固定することができ、壁の角度に関わらず確実に固定できるものである。
【産業上の利用可能性】
【００３２】
以上のように、本発明にかかる空気調和機は、空気調和機を壁に固定する固定具を天板の側面に固定するビス穴と背面に固定するビス穴を共用することで、最小限のビス穴で側面の壁、背面の壁に確実に固定ができるもので、比較的背が高く、転倒防止用に壁に固定される冷蔵庫、自動販売機等の各種機器にも適用できるものである。
【図面の簡単な説明】
【００３３】
【図１】本発明の実施の形態１における空気調和機の斜視図
【図２】同空気調和機の天板に設けたビス穴の配置を示す図
【図３】同空気調和機での固定具の使用例を示す図
【図４】本発明の実施の形態２における空気調和機の室内機の上面図
【図５】本発明の実施の形態３における空気調和機の固定具の上面図
【図６】同固定具の使用例を示す図
【図７】本発明の実施の形態４における空気調和機の固定具の平面図
【図８】同固定具の使用例を示す図
【図９】従来の空気調和機の室内機の固定例を示す斜視図
【符号の説明】
【００３４】
１    室内機
１ａ  送風手段
３    筐体
４    天板
５    固定具
５ｃ  ビス穴
６    取り付けビス
７    ビス穴
８    固定ビス
９    天板固定部
１０    壁固定部
【図１】
2005156048.tif 000003
【図２】
2005156048.tif 000004
【図３】
2005156048.tif 000005
【図４】
2005156048.tif 000006
【図５】
2005156048.tif 000007
【図６】
2005156048.tif 000008
【図７】
2005156048.tif 000009
【図８】
2005156048.tif 000010
【図９】
2005156048.tif 000011